(57)【要約】【課題】各々のエレベータを個別に呼び寄せることができるとともに、エレベータ全体の運転効率の悪化を抑制する。【解決手段】釦カバー１を左右に傾斜する構造とし、且つ、押しスイッチＬＳＷ、ＲＳＷを設け、釦カバー１の傾斜位置によりそれぞれの押しスイッチＬＳＷ、ＲＳＷが押圧されることと、押しスイッチＬＳＷ、ＲＳＷのどちらか押圧されたとき、釦カバー１全体を照射する発光体ＬＰＬ、ＬＰＲを備えるようにした。【選択図】        図１
2004331263.tif 000002
【特許請求の範囲】
【請求項１】
少なくとも２台のエレベータが併設され、隣接するエレベータの間に乗場呼びを作るための押し釦を設置したエレベータの押し釦装置において、前記押し釦は、支点を境にして押す位置に応じて左もしくは右に傾斜する釦カバーと、各エレベータの呼び登録装置に接続され、前記釦カバーにより押圧されたとき動作する２個のスイッチと、これらのスイッチの一方が動作したとき点灯して前記釦カバー全体を照射する発光体とを備えたことを特徴とするエレベータの押し釦装置。
【発明の詳細な説明】
【０００１】
【発明の属する技術分野】
本発明は、エレベータの押し釦装置に関するものである。
【０００２】
【従来の技術】
エレベータを乗場より呼び寄せるために、通常エレベータの乗場扉の近傍に乗場用押し釦が設置される。運転制御を各々個別に行なう単独エレベータが複数台併設されるビルやデパートにおいては、その乗場用押し釦はエレベータ１台毎に１組の乗場用押し釦が設置される。たとえば、単独のエレベータが２台併設されている場合は、乗場に対し２組の乗場用押し釦が設置されたものが知られている（例えば、特許文献１参照。）。
【０００３】
【特許文献１】
実開昭６３−１９０１７３号公報
（第４頁第１１行−第５頁第８行、第１図、第２図）
【０００４】
【発明が解決しようとする課題】
各エレベータ毎に乗場呼び釦が独立して設置されており、利用客は一刻でも早くエレベータに乗りたいという心境から両方のエレベータの乗場呼び釦を押してしまうのが現実である。そのため、当該階床に両方のかごが到着し、一方のかごには利用客がいない状態となり、エレベータ全体の運転効率を悪化させることになる。
【０００５】
本発明の目的は、各々のエレベータを個別に呼び寄せることができるとともに、エレベータ全体の運転効率の悪化を抑制できるエレベータの押し釦装置を提供することにある。
【０００６】
【課題を解決するための手段】
上記目的は、少なくとも２台のエレベータが併設され、隣接するエレベータの間に乗場呼びを作るための押し釦を設置したエレベータの押し釦装置において、前記押し釦は、支点を境にして押す位置に応じて左もしくは右に傾斜する釦カバーと、各エレベータの呼び登録装置に接続され、前記釦カバーにより押圧されたとき動作する２個のスイッチと、これらのスイッチの一方が動作したとき点灯して前記釦カバー全体を照射する発光体とを備えた構成とすることにより達成される。
【０００７】
【発明の実施の形態】
以下、本発明の実施形態について図１〜図６により説明する。
【０００８】
図１〜図３は本発明の一実施形態に係る押し釦を模式的に示した平面図、図４、図５は前記押し釦カバーの照射状態を模式的に示した平面図、図６は本発明の一実施形態に係る押し釦を２台併設エレベータの乗場に設置した状態の正面図である。
【０００９】
図１において、１は釦カバー、２は前記釦カバーと結合したガイドである。前記ガイド２には左右に押し金具３Ｌ、３Ｒが結合されている。また、前記ガイド２の中央部に支点４が結合されている。ＬＳＷ、ＲＳＷは押しスイッチでそれぞれ可動部ＬＳＷＫ、ＲＳＷＫを設けており、図１〜図３において前記可動部ＬＳＷＫ、ＲＳＷＫが上方向に移動することで前記押しスイッチＬＳＷ、ＲＳＷは押圧動作する。
【００１０】
また、前記押しスイッチＬＳＷ、ＲＳＷには図示しないバネを有し、前記可動部ＬＳＷＫ、ＲＳＷＫに力が加わっていない時は前記押金具３Ｌ、３Ｒを図１の如く水平位置に押し戻すよう設定されている。
【００１１】
図１においては前記釦カバー１が押圧されていない状態を示すが、たとえば前記釦カバー１の中央より左面が押圧された場合、前記釦カバー１は図２に示すように、前記支点４を中心に右回転を行なう。このとき、前記釦カバー１に結合されていたガイド２、さらには前記ガイド２に結合されていた押し金具３Ｌ、３Ｒも前記支点４を中心に右回転を行なう。前記押し金具３Ｌの回転により、前記押しスイッチＬＳＷの可動部ＬＳＷＫは前記押し金具３Ｌにより上方向に押し上げられ、これにより前記押しスイッチＬＳＷは押圧動作となる。また、前記釦カバー１の中央部より右面が押圧された場合も上記同様前記釦カバー１、前記ガイド２、前記押し金具３Ｌ、３Ｒが前記支点４を中心に左回転を行ない、前記押し金具３Ｒは前記可動部ＲＳＷＫを押し上げ、前記押スイッチ３Ｒが押圧動作となる。
【００１２】
図４、図５においては、前記図２、図３の状態において前記押スイッチおよび可動部の図示を省略し、例えばランプなる発光体ＬＰＬ、ＬＰＲを示したものである。図４においては、前記図２のとおり釦カバー１の中央より左面が押圧された状態であるが、このとき前記発光体ＬＰＬが点灯し前記釦カバー１を照射する。また、同様に図５は図２の状態において前記発光体ＬＰＲが点灯し前記釦カバー１を照射する。
【００１３】
このように構成した押し釦を併設された単独エレベータ２台に設置する場合、図６のように前記釦カバー１およびガイド２は左側エレベータ乗場扉ＤＲＬと右側エレベータ乗場扉ＤＲＲの中央部に設置するが、図示しない電気回路は前記押スイッチＬＳＷおよび前記発光体ＬＰＬを左側エレベータの押しスイッチ回路および発光体回路に接続し、同様に前記押スイッチＲＳＷおよび前記発光体ＬＰＲを右側エレベータの押しステッチ回路および発光体回路に接続することで、それぞれのエレベータの電気回路を変更する必要はなくなる。
【００１４】
なお、押しスイッチＬＳＷは左側の単独エレベータにおける乗場呼び登録回路に、押しスイッチＲＳＷは右側の単独エレベータにおける乗場呼び登録回路にそれぞれ接続されている。
【００１５】
押し釦は上記の構成であるから、１回の押し動作では右または左の何れか一方の押しスイッチしか押圧動作されない。何れか一方の押しスイッチが押圧動作すると釦カバー１の全体が発光体により照射されるので、利用客にはあたかも両方の呼び登録が行われたかのように見え、釦カバー１をもう一度押す操作を抑制することができる。これによって、無駄な（両方のエレベータに対する）呼び登録を防止でき、運転効率の悪化を防止できる。また、釦カバー１の支点４より右側か左側かを意識して押せば、希望する方のエレベータの呼び登録を行い、呼び寄せることができる。
【００１６】
本実施形態によれば、釦カバー１を左右に傾斜する構造とし、且つ、押しスイッチＬＳＷ、ＲＳＷを複数個設け、釦カバー１の傾斜位置によりそれぞれの押しスイッチＬＳＷ、ＲＳＷが押圧されることと、押しスイッチＬＳＷ、ＲＳＷのどちらか押圧されたとき、釦カバー１全体を照射する発光体を備えるようにしたので、各々のエレベータを独立して呼び寄せることができ、且つ、どちらかの押スイッチＬＳＷ、ＲＳＷが押圧されたとき押し釦カバー１部全体を照射するので乗場利用客が両方のエレベータの乗場呼びを登録する操作を抑制することができる。
【００１７】
【発明の効果】
以上説明したように本発明によれば、各々のエレベータを個別に呼び寄せることができるとともに、エレベータ全体の運転効率の悪化を抑制できるエレベータの押し釦装置を提供することができる。
【図面の簡単な説明】
【図１】本発明の一実施形態の押し釦を模式的に示した平面図である。
【図２】本発明の一実施形態の押し釦を模式的に示したもので、左に傾斜した状態の平面図である。
【図３】本発明の一実施形態の押し釦を模式的に示したもので、右に傾斜した状態の平面図である。
【図４】本発明の一実施形態の押し釦における点灯状態を模式的に示した平面図である。
【図５】本発明の一実施形態の押し釦における点灯状態を模式的に示した平面図である。
【図６】本発明の一実施形態に係る押し釦を設置した状態の正面図である。
【符号の説明】
１  釦カバー
２  ガイド
３Ｌ、３Ｒ  押し金具
４  支点
ＬＳＷ、ＲＳＷ  押しスイッチ
ＬＳＷＫ、ＲＳＷＫ  可動部
ＬＰＬ、ＬＰＲ  発光体
【図１】
2004331263.tif 000003
【図２】
2004331263.tif 000004
【図３】
2004331263.tif 000005
【図４】
2004331263.tif 000006
【図５】
2004331263.tif 000007
【図６】
2004331263.tif 000008